(57)【要約】【課題】容器の使用済み後の再生ができ、また廃棄処分で問題の少ない紙容器の採用を推進しながら、その紙容器を、所定形状に打抜いた板紙を折曲げ成形して紙容器に組立てるときに、それを、一種類に成形しておいて、それの内容量が、装入する葡萄の房の大きさ、苺・プルーンの果粒の大きさに応じて、自動的に拡張して、適応する容量になっていくようにする。【解決手段】板紙・段ボール紙を打抜いて形成した型紙Ａ’を折曲げ加工によりトレー状に成形する紙容器Ａを、全体が上方に向かい外拡きの四角な平箱状乃至トレー状になるよう成形し、それの前後の立上り面１ａ・１ａに、底面９の前後縁に形設した折曲げ罫線７−１・７−２の両端から立上り面１ａ・１ａの上縁となる切り刃線１の左右の中心点１０に向かう２本の折曲げ罫線２・２を形設して、この２本の折曲げ罫線２・２と前記折曲げ罫線７−１・７−２とで区画される二等辺三角形の面５を形成する。【選択図】図８
0003114346.tif 000002
【実用新案登録請求の範囲】
【請求項１】
板紙・段ボール紙を打抜いて形成した型紙Ａ’を折曲げ加工によりトレー状に成形する紙容器Ａにおいて、その紙容器Ａを、底面９が平面視において前後に長い長方形で、その底面９の四周の辺縁から立上る前後の立上り面１ａ・１ａおよび左右の立上り面８・８が、それぞれ外側に傾斜するテーパー面となって、全体が上方に向かい外拡きの四角な平箱状乃至トレー状になるよう成形し、それの前後の立上り面１ａ・１ａに、底面９の前後縁に形設した折曲げ罫線７−１・７−２の両端から立上り面１ａ・１ａの上縁となる切り刃線１の左右の中心点１０に向かう２本の折曲げ罫線２・２を形設して、この２本の折曲げ罫線２・２と前記折曲げ罫線７−１・７−２とで区画される二等辺三角形の面５を形成したことを特徴とする果実類の輸送・展示用の紙容器。
【考案の詳細な説明】
【技術分野】
【０００１】
本考案は、収穫した葡萄・苺・プルーン等の農産物の果実類を、段ボール箱のコンテナに箱詰めして、出荷・輸送するときに、コンテナへの箱詰めに先立ち、商品として消費者に販売するのに適する量に小わけして容器に詰め、その容器ごとコンテナ内部の区画内に詰め込んでコンテナに箱詰めするように用いる果実類の輸送・展示用の紙容器についての改良に関する。
【背景技術】
【０００２】
葡萄・苺・プルーン等の果実類を出荷する際の輸送は、果実類を段ボール箱のコンテナに箱詰めして行うが、通常、コンテナへの箱詰めに先立ち、図１にあるように、出荷先のスーパー等の店先の商品棚・展示棚に載置し得る大きさに形成された、合成樹脂材により縦が約１５センチ、横が約１０センチ、深さ約５センチ程度のトレー状に成形した容器ａに、商品の販売単位となるのに適応する量に小わけし、かつ、商品表示に適応する形態に盛り付けた状態として詰め、その果実類が詰められた容器ａを、別に図２にあるように段ボール紙などのシートにより箱状に組立られて、内部が仕切板ｂで区画した輸送用のコンテナｃの、区画内に、複数個並列させて装入し、新聞紙等のパッキンを介装してコンテナ内に固定し、それにより輸送用のコンテナｃに箱詰めして例えばスーパー等に輸送するようにしている。そして、荷受けした先では、コンテナｃから、農産物の果実類を、容器ａに装填されている状態のまま、容器ａごと取り出して、容器ａごと陳列棚・商品棚に並べて展示し、容器ａごと販売するようにしており、この容器ａは、農産物が生産者から消費者に渡るまでの間、農産物を取り扱うための容器として使用される。
【０００３】
ところで、この合成樹脂製のトレー状の容器ａは、商店の展示棚・陳列棚に載置し得、かつ、コンテナｃ内部の仕切板ｂで仕切られた区画内に数個並列させて収納される大きさに成形されるが、これに詰め込む果実類は、葡萄にあっては、一房を横に寝かせた状態として詰め、また、苺・プルーン等にあっては、所定の粒数を、容器内から盛り上げるように詰め込むようにして行われる。このことから、果実類のできが良いものでは、例えば葡萄にあっては、房の両端が容器から出てくるようになり、苺・プルーン等にあっては、粒数が少なくなる事態が生ずる。このため、これに対応させるよう、容器ａを、例えば大・中・小（Ｌ・Ｍ・Ｓ）の三種類に成形しておいて、これらを使い分けるようにしている。このことから、生産者が容器ａに農産物を装填してコンテナｃに箱詰めするときに、その農産物に適応する大きさの容器ａを選択しなければならない面倒さと、容器ａに大きさの異なる複数種類を用意しておかなければならないコストの負担がある。
【０００４】
さらに、合成樹脂材で成形する容器ａは、消費者が農産物を消費した後の使用済みの容器ａの廃棄の処理の際に、公害の発生など種々の不都合が生ずることから、再生可能な紙を素材とする紙容器に変えることが推奨されてきているが、紙容器は、板紙・段ボール紙を所定形状に打抜き板どりし、それを、折曲げ成形加工機にかけて、折り曲げ、糊付けして容器に組立てることで成形することから、コンテナｃ内に形成する区画内に複数個並列させて収納し得る大きさで、それぞれ内容積が異なる複数種類の容器を用意するようにするには、打抜き機の打抜刃の形状を変えるだけでなく、折曲げ成形加工機の作動部に変更を加えなければならず、そのために、コストの負担が大きくなる問題がある。
【考案の開示】
【考案が解決しようとする課題】
【０００５】
本考案は、プラスチック容器のリサイクル対策と廃棄処分問題が社会問題化している中で、容器の使用済み後の再生ができ、リサイクル対策でほとんど問題のない、また廃棄処分で問題の少ない紙容器の採用を推進しながら、その紙容器を、農産物の作柄による形状の大小に対応して、内容量を変化させた複数種に成形する際の、紙容器を成形するための紙板から、打抜き板どりする打抜き加工機及び所定形状に打抜いた板紙を折曲げ成形して紙容器に組立てる成形加工機の機構の設定を変更する負担を軽減するよう、その紙容器を、一種類に成形しておいて、それの内容量が、装入する葡萄の房の大きさ、苺・プルーンの果粒の大きさに応じて、自動的に拡張して、適応する容量になっていくようにする手段を構成することを課題とするものである。
【課題を解決するための手段】
【０００６】
上述の課題を解決するための手段として、本考案においては、シート状の板紙から、所定形状の型紙に打抜くときに、その打抜いた型紙は、図３にあるように、コンテナｃの内部に形成される区画内に複数個の紙容器を余裕をもって並列させ得る大きさの長方形状の底面９と、その底面９の左右の側縁から折曲げて立上げさせる左右の立上り面８・８と、底面９の前後の縁から折曲げて立上げさせる前後の立上り面１ａ・１ａと、その前後の立上り面１ａ・１ａの前後の端縁に連続する舌片状の糊しろ片６・６とが一体に連続する形態に打抜き成形する際に、底面９と長方形状に形成する底面９の前・後の縁および左右両側の縁に、前後の立上り面１ａ・１ａと左右の立上り面８・８を折曲げて立上げさせるための折曲げ罫線７−１・７−２・７−３・７−４を形設し、また、左右の立上り面８・８のそれぞれの前後の端部に連続させて形成した舌片状の糊しろ片６…をそれぞれ折曲げるための折曲げ罫線６ａ…を形設しておく。
【０００７】
このとき、糊しろ片６…を折曲げる折曲げ罫線６ａ…は、図３にあるように、それぞれ、底面９の各コーナー部分から、底面９の前後縁の折曲げ罫線７−１・７−２を左右の外側に向け延長するように形設するが、その折曲げ罫線６ａ…は、底面９の前後縁の折曲げ罫線７−１・７−２の仮想延長線に対して、それぞれ、前後方向に所定の角度で傾斜させて、各立上り面８の前後の両端部に形設するこの折曲げ罫線６ａ・６ａが、それらの対向間隔を次第に拡げるようにし、これにより、この折曲げ罫線６ａ・６ａと、底面９の側縁の折曲げ罫線７−３・７−４と、型紙Ａ’を打抜き成形するときの前後方向の切り刃線１とで区画される左右の立上り面８・８を、平面視において、左右方向の外側に向け前後に拡巾していく台形に形成する。
【０００８】
そして、底面９の前・後縁に連続する前後の立上り面１ａ・１ａは、底面９の折曲げ罫線７−１・７−２と、左右の側縁を形成する切り刃線３・３と、前・後縁を形成する切り刃線１・１とで該立上り面１ａ・１ａを形成するときに、左右の切り刃線３・３を、底面９のコーナー部分からそれぞれ左右の外側方向に傾斜して前後方向に延出し、それの延出端が、前後の外縁の切り刃線１の左右の両端に接続するように形成して、この前後の立上り面１ａ・１ａを、平面視において、前後方向の外側に向けて左右に拡巾していく台形に形成しておき、これにより、打抜いた型紙Ａ’を折曲げ成形機にかけて折曲げ加工し、紙容器Ａに成形したときに、その紙容器Ａを図６、図７にあるよう、四周の壁面を形成する前後の立上り面１ａ・１ａおよび左右の立上り面８・８が、それぞれ対向する間隔寸法を拡げながら立上るテーパー面となって、全体が外拡きの四角な平箱状乃至トレー状となるようにする。
【０００９】
しかして、このように、打抜き成形する型紙Ａ’の前後の立上り面１ａ・１ａには、底面９の四周を区画する四本の折曲げ罫線７−１・７−２・７−３・７−４のうちの前後の折曲げ罫線７−１・７−２をそれぞれ底辺とし、その底辺とする折曲げ罫線７−１・７−２の左右の両端部からそれぞれ立上り面１ａの切り刃線１の左右の中心点１０に向かう折り曲げ罫線２・２を形設して、各立上り面１ａにこれら折曲げ罫線７−１・７−２と折曲げ罫線２・２とで仕切られる二等辺三角形の面５をそれぞれ形成しておく。
【００１０】
そして、このように打抜き加工して形成した型紙Ａ’を、折曲げ成形加工機にかけて、図８・図９に示すよう、四周の立上り面１ａ・１ａ・８・８が上方に向け鉢状に開き、かつ、前後のそれぞれの立上り面１ａに、底面９の前後の縁を底辺としその底辺の両端から立上り面１ａの上縁を形成する切り刃線１の左右の中心点１０とを結ぶ２本の折曲げ罫線２・２で区画される二等辺三角形の面５をそれぞれ具備せしめたトレー状の紙容器Ａに構成する手段を提起するものである。
【考案の効果】
【００１１】
上述の如く構成する本考案手段による農産物の果実類の輸送・展示用の紙容器は、農産物の生産者が収穫した果実類を小わけして該紙容器に詰め、その容器ごと段ボール箱に箱詰めして出荷する作業に際し、果実類の生育が良く、例えば葡萄の房が大きいときには、紙容器内に房を寝かせて装入したときに、それの重量で、外開きのテーパー面になっている紙容器Ａの四周の立上り面１ａ・１ａ・８・８が押圧を受けると、前後の立上り面１ａ・１ａには、底辺となる折曲げ罫線７−１・７−２の左右の両端から上縁となる切り刃線１の左右の中心点１０とを結ぶ２本の斜めの折曲げ罫線２・２が形設してあることから、この２本の折曲げ罫線２・２を折曲げながら上縁の中心点１０を前後方向の外側に向けて押し出していくように変形していき、自然に装入した葡萄の房の形状・大きさに倣う容積の容器に変態していくようになるので、一種類の大きさ容量のものに形成しておいてよいことになる。
【００１２】
従って、リサイクル対策で殆ど問題がなく、廃棄処分に問題の少ない紙容器を採用しながら、大きさ容積を異にする数種を用意しておかなければならないことによる紙板からの打抜き加工および折曲げ成形加工の際の厄介な作業を少なくして、製作コストを低減し得るようになる。
【考案を実施するための最良の形態】
【００１３】
次に、本考案による果実類の輸送・展示用の紙容器の望ましい実施の態様を、実施例につき図面に従い説明する。
【実施例１】
【００１４】
図３は、本考案による紙容器Ａを、シート状の紙板から打抜き板どりする打抜き加工機で打抜き、それを、成形加工機にかけて、容器に成形するときの、シート状の紙板を所定形状に打抜いて形成した型紙Ａ’の平面図であり、１はシート状の紙板から打抜くときの外郭の切り刃線、９は成形する紙容器Ａの底面を形成する部位、７−１・７−２・７−３・７−４はその底面９の前後縁および左右の側縁となる部位に形設した折曲げ罫線、８・８は、底面９の左右の両側に連続させて形成する左右の立上り面、１ａ・１ａは底面９の前縁および後縁に連続させて形成せる前後の立上り面、６・６は、前記左右の立上り面８・８の前後の両端部にそれぞれ連続させて形成した舌片状の糊しろ片、６ａ…は、型紙Ａ’を成形加工機にかけて紙容器Ａに成形していくときに、その糊しろ片６…を左右の立上り面８・８から折曲げる折曲げ位置を規制するように形設しておく折曲げ罫線で、底面９の前後縁となる部位に形設しておく前述の折曲げ罫線７−１・７−２の仮想延長線に対しそれぞれ前後方向の外側に向けて傾斜するよう斜めに形設してある。
【００１５】
１ａ・１ａは底面９の前後縁を形成する前記折曲げ罫線７−１・７−２の各外側部位に、底面９と一体に連続させて形成した前後の立上り面で、底面９の前後の折曲げ罫線７−１・７−２よりも左右に長い外郭の切り刃線１と、前記折曲げ罫線７−１・７−２の各両端部から前記切り刃線１の両端部に向かう斜めの切り刃線３・３とで、平面視において、台形に形成してある。
【００１６】
２・２は、この前後の立上り面１ａ・１ａに形設しておく２本の折曲げ罫線で、底面９の前後縁となる部位に形設せる前記折曲げ罫線７−１・７−２の各両端部と、前記外郭の切り刃線１・１の左右の中心点１０とを結ぶように形設してあり、その２本の折曲げ罫線２・２は前記中心点１０において合流し、接合している。
【００１７】
４・４は、前記前後の立上り面１ａ・１ａの、前述の２本の折曲げ罫線２・２の各外側部位に、三角形状に仕切られる面、５は前記前後の立上り面１ａ・１ａの前述の２本の折曲げ罫線２・２と底面９の前後縁となる折曲げ罫線７−１・７−２とで仕切られる二等辺三角形の面である。
【００１８】
図８・図９・図１０・図１１は、上述のように打抜き板どりした型紙を成形加工機にかけて成形した本考案手段による紙容器Ａを示す。
【００１９】
この紙容器Ａは、前記、図８・図９・図１０・図１１に示しているように、四周の立上り面１ａ・１ａ・８・８が、上方に向かい外側に拡くテーパー面に形成され、全体が上方に拡く鉢状をなす四角なトレー状に形成してある。
【００２０】
図４・図５・図６・図７は、上述の鉢状の四角なトレー状の紙容器Ａを、それの前後の立上り面１ａ・１ａに、上から少しの負荷を与えることで、その立上り面１ａ・１ａが、２本の折曲げ罫線２・２からの折曲げにより、上縁の切り刃線１・１の中心点１０・１０をそれぞれ外側に張り出させて、内容積を拡大させるとともに前後に形状を拡張させるよう変形した状態を示している。
【００２１】
このように、本考案の実施例による紙容器Ａは、平面視で前後に長い長方形状をなし、上方に向け鉢状の四角なトレー状に形成した容器本体の前後の立上り面１ａ・１ａだけに、それの底辺の両端から上縁の左右の中心点１０において接合する２本の折曲げ罫線２・２を設けていることから、例えば、良く生育した大きな葡萄の房を寝かせていれると、それの重量により、前後の立上り面１ａ・１ａが外側に張り出すように変形し、その葡萄の房に倣うように容積を増大させかつ前後方向の長さを拡張させるようになる。
【産業上の利用可能性】
【００２２】
この果実類の輸送・展示用の紙容器は、果実類に限らず他の農産物にも、そのまま適応させて使用でき、また、農産物だけでなく、他の加工食品の輸送・展示用の紙容器としてもそのまま適用できる。
【図面の簡単な説明】
【００２３】
【図１】従来の容器の斜視図である。
【図２】同上容器を詰め込んだ段ボール紙のコンテナの平面図である。
【図３】本考案による紙容器の組立て前の型紙の状態の展開図である。
【図４】同上紙容器の内容積を拡張させた状態の斜視図である。
【図５】同上状態の本考案による紙容器の平面図である。
【図６】同上紙容器の正面図である。
【図７】同上紙容器の側面図である。
【図８】本考案による紙容器の組立てた状態の斜視図である。
【図９】同上紙容器の同上状態時の平面図である。
【図１０】同上紙容器の同上状態時の正面図である。
【図１１】同上紙容器の同上状態時の側面図である。
【符号の説明】
【００２４】
Ａ…紙容器
Ａ’…型紙
ａ…従前手段の容器
ｂ…コンテナ内に設ける仕切板
ｃ…容器を詰め込むコンテナ
１…紙容器の前後の切り刃線
１ａ…紙容器の前後の立上り面
２…紙容器の前後の立上り面の折曲げ罫線
３…紙容器の前後の立上り面の切り刃線
４…紙容器の前後の立上り面において、２本の折曲げ罫線２で仕切られた面
５…紙容器の前後の立上り面において、２本の折曲げ罫線２と底面の折曲げ罫線７で仕切られた面
６…糊しろ片
６ａ…折曲げ罫線
７−１・７−２・７−３・７−４…紙容器の底面の折曲げ罫線
８…紙容器の左右の側面の立上り面
９…底面
１０…紙容器図１の前後立上り面において、底面の折曲げ罫線７の両端からのびる２本の折曲げ罫線２が、切り刃線１の中心点で交わる接点
【図１】
0003114346.tif 000003
【図２】
0003114346.tif 000004
【図３】
0003114346.tif 000005
【図４】
0003114346.tif 000006
【図５】
0003114346.tif 000007
【図６】
0003114346.tif 000008
【図７】
0003114346.tif 000009
【図８】
0003114346.tif 000010
【図９】
0003114346.tif 000011
【図１０】
0003114346.tif 000012
【図１１】
0003114346.tif 000013